(57)【要約】【課題】  携行式時計の着用者が最適に制御することができるような携行式時計の電力消費を管理する方法を提案する。【解決手段】  本発明は、携行式時計（１）の電力消費を管理する方法に関し、これは、携行式時計（１）のアキュムレーター（３）をチャージする必要性を識別するステップ（１０）と、及びチャージする必要性が識別されたときに、携行式時計（１）の電気的エネルギー生産機構（４）の制御メンバー（５）のガイドされて行われるアクチュエートを通して前記アキュムレーター（３）をチャージするステップ（１７）とを有する。【選択図】  図２
2020071221.tif 000002
【特許請求の範囲】
【請求項１】
携行式時計（１）の電力消費を管理する方法であって、
携行式時計（１）のアキュムレーター（３）をチャージする必要性を識別するステップ（１０）と、及び
チャージする必要性が識別されたときに、携行式時計（１）の電気的エネルギー生産機構（４）の制御メンバー（５）のガイドされて行われるアクチュエートを通して前記アキュムレーター（３）をチャージするステップ（１７）と
を有することを特徴とする方法。
【請求項２】
前記チャージするステップ（１７）は、前記電気的エネルギー生産機構（４）の前記制御メンバー（５）をアクチュエートするときに視覚的及び／又は音響的にガイドするサブステップ（１８）を有する
ことを特徴とする請求項１に記載の方法。
【請求項３】
前記ガイドするサブステップ（１８）は、前記制御メンバー（５）をガイドするために情報を生成する段階（１９）を有する
ことを特徴とする請求項２に記載の方法。
【請求項４】
前記情報は、識別された必要性を満たすのに必要な前記電気的エネルギー生産機構（４）の前記制御メンバー（５）のアクチュエートのために必要な変位の距離及び／又は時間を含む
ことを特徴とする請求項３に記載の方法。
【請求項５】
前記ガイドするサブステップ（１８）は、携行式時計（１）の視覚的ガイド要素及び／又は音インタフェース（７）によって携行式時計（１）の着用者へと生成した前記情報を伝達する段階（２０）を有する
ことを特徴とする請求項３又は４に記載の方法。
【請求項６】
前記識別するステップ（１０）は、前記アキュムレーター（３）のチャージレベルを定期的に判断するサブステップ（１１）を有する
ことを特徴とする請求項１〜５のいずれか一項に記載の方法。
【請求項７】
前記識別するステップ（１０）は、携行式時計（１）が実行した機能の電力消費量を評価するサブステップ（１４）、又は携行式時計（１）が実行する機能の電力消費量を評価するサブステップ（１５）を有する
ことを特徴とする請求項１〜６のいずれか一項に記載の方法。
【請求項８】
前記判断するサブステップ（１１）と前記評価するサブステップ（１４、１５）は、アキュムレーター（３）をチャージすることを促す携行式時計（１）の着用者へと音響的及び／又は視覚的なメッセージを送る段階を有する
ことを特徴とする請求項６又は７に記載の方法。
【請求項９】
請求項１〜８のいずれか一項に記載の方法を実装する
ことを特徴とする携行式時計（１）、特に、コネクテッドウォッチ。
【請求項１０】
携行式時計（１）の演算ユニット（２）が請求項９に記載の方法を実行するためのプログラムコード命令を含む
ことを特徴とするコンピュータープログラム。
【発明の詳細な説明】
【技術分野】
【０００１】
本発明は、携行式時計（例、腕時計、懐中時計）の電力消費を管理する方法に関する。
【０００２】
本発明は、さらに、この方法をコンピュータープログラムを用いて実装する携行式時計に関する。
【背景技術】
【０００３】
現状の技術において、携行式時計は、伝統的に、エネルギー源として一次電池や二次電池を用いる。このようなエネルギー源は、一般的には、寿命が限られており、したがって、定期的に交換したり、携行式時計の外部のチャージデバイスによって定期的にチャージしなければならない。
【０００４】
この課題を克服するために、現状の技術において知られている携行式時計において、発生する機械的エネルギーを携行式時計にパワー供給するために使用することができる電気的エネルギーへと変換することができるチャージデバイスを有するものがある。このような携行式時計チャージデバイスは、携行式時計のアキュムレーターをチャージするために、デバイスの発電機構に接続されたベゼルをアクチュエートする。
【０００５】
しかし、これらの携行式時計には、主に、携行式時計が動かなくなったときに着用者が携行式時計のアキュムレーターをしばしばチャージしなければならなくなるということに関連する課題がある。
【０００６】
したがって、特に、従来技術の課題がないような、代替的な手法を見つける必要がある。
【発明の概要】
【発明が解決しようとする課題】
【０００７】
このような状況で、本発明は、携行式時計の着用者が最適に制御することができるような携行式時計の電力消費を管理する方法を提案することを目的とする。
【０００８】
また、本発明は、着用者が携行式時計をチャージするために用いる機械的な力を能率化し最適化することを可能にすることを別の目的とする。
【課題を解決するための手段】
【０００９】
この目的のために、本発明は、携行式時計の電力消費を管理する方法に関し、これは、携行式時計のアキュムレーターをチャージする必要性を識別するステップと、及びチャージする必要性が識別されたときに、携行式時計の電気的エネルギー生産機構の制御メンバーのガイドされて行われるアクチュエートを通して前記アキュムレーターをチャージするステップとを有する。
【００１０】
他の実施形態において：
−  前記チャージするステップは、前記電気的エネルギー生産機構の前記制御メンバーをアクチュエートするときに視覚的及び／又は音響的にガイドするサブステップを有する。
−  前記ガイドするサブステップは、前記制御メンバーをガイドするために情報を生成する段階を有する。
−  前記情報は、識別された必要性を満たすのに必要な前記電気的エネルギー生産機構の前記制御メンバーのアクチュエートのために必要な変位の距離及び／又は時間を含む。
−  前記ガイドするサブステップは、携行式時計の視覚的ガイド要素及び／又は音インタフェースによって携行式時計の着用者へと生成した前記情報を伝達する段階を有する。
−  前記識別するステップは、前記アキュムレーターのチャージレベルを定期的に判断するサブステップを有する。
−  前記識別するステップは、携行式時計が実行した機能の電力消費量を評価するサブステップ、又は携行式時計が実行する機能の電力消費量を評価するサブステップを有する。
−  前記判断するサブステップと前記評価するサブステップは、アキュムレーターをチャージすることを促す携行式時計の着用者へと音響的及び／又は視覚的なメッセージを送る段階を有する。
【００１１】
本発明は、さらに、この方法を実装する携行式時計、特に、コネクテッドウォッチ、に関する。
【００１２】
本発明は、さらに、この方法のいくつかのステップを携行式時計の演算ユニットによって実行するためのプログラムコード命令を含むコンピュータープログラムに関する。
【００１３】
添付の図面を参照しながら以下の説明（例としてのみ与えられ、これに限定されない）を読むことによって、他の特徴や利点が明確になるであろう。
【図面の簡単な説明】
【００１４】
【図１】本発明の１つの実施形態に係る携行式時計の電力消費を管理する方法に関連するロジック図である。
【図２】この方法を実装している本発明の実施形態に係る携行式時計を示している。
【発明を実施するための形態】
【００１５】
図１は、携行式時計の電力消費を管理する方法を示している。この方法は、この携行式時計の電気的エネルギー生産機構４の制御メンバー５をガイドされつつアクチュエートするように携行式時計の着用者に促すことによって、携行式時計の電力消費の最適な管理を達成することを目的としている。
【００１６】
この方法は、携行式時計１、特に、機械式ムーブメントを有する機械式のコネクテッドウォッチ、によって実装される。このような携行式時計１は、
−  材料及びソフトウェア資源、特に、メモリー要素と連係する少なくとも１つのプロセッサー、を有する演算ユニット２と、
−  アキュムレーター３と、
−  少なくとも１つの制御メンバー５と運動学的に接続された電気的なジェネレーターを有しアキュムレーター３に接続されるエネルギー生産機構４と、
−  第１のアナログ表示部品及び第２のデジタル及び／又は文字の表示部品を備えるハイブリッド表示用表盤６と、
−  スピーカーのような音インタフェース７と、
−  通信モジュール８と、
−  ベゼルや回転式リュウズのようなエネルギー生産機構４の少なくとも１つの制御メンバー５と、及び
−  視覚的ガイド要素９と
を有する。ただし、これらはすべてを網羅しているものではなく、また、これらに限定されない。
【００１７】
携行式時計１のこの演算ユニット２は、音インタフェース７、アキュムレーター３、表示用表盤６、エネルギー生産機構４、前記少なくとも１つの制御メンバー５、通信モジュール８、及び視覚的ガイド要素９などに接続される。
【００１８】
この携行式時計１において、通信モジュール８は、ＳＩＭ（加入者識別モジュール）などを有し、セルラーネットワークシステムへの接続を確立することができ、あるいは無線ローカルエリアネットワーク（ＷＬＡＮ）への接続を確立することができる。また、例えば、Bluetooth（登録商標）のような通信技術を実装することができる。このような状況で、携行式時計１は、遠隔のサーバー、コンピューター又はスマートフォンとデータを交換することができる。
【００１９】
当該方法は、携行式時計１のアキュムレーター３をチャージする必要性を識別するステップ１０を有する。このステップ１０において、この携行式時計１のアキュムレーター３をチャージする必要性は、携行式時計１の機能の実行などに起因してアキュムレーター３のチャージ量が低下したことを演算ユニット２が検出したとき、又は携行式時計１の機能が実行されることを演算ユニット２が判断したときや携行式時計１の機能が実行されたときに、識別される。
【００２０】
これに関連して、携行式時計１の機能は、好ましくは、低エネルギー消費時間及び／又は日時表示機能と比べて電気的エネルギーを多く用いることは重要である。この機能は、例えば、以下に関連するものである。すなわち、
−  通信モジュール８などの使用を伴う日々の天気予報のようなデータの取得
−  携行式時計１の気圧計の使用
−  携行式時計１の高度計の使用
−  ナビゲーションシステムの使用
−  方位計の使用
−  「トラッキング及びポイントオブインタレスト」システムの使用
−  ステップ数を評価するシステムの使用
−  エネルギー消費のカロリー量を評価するシステムの使用
−  移動距離を評価するシステムの使用
−  アラーム
−  クロノメーター
−  タイマー
などである。
【００２１】
そして、このステップ１０は、アキュムレーター３のチャージレベルを定期的に判断するサブステップ１１を有する。これを達成するために、このサブステップ１１は、携行式時計１のアキュムレーター３のチャージレベルを測定するステップ１２を有する。この測定が行われると、このサブステップ１１は、このチャージレベル測定結果を基準しきい値と比較する段階１３を実行する。測定結果が基準しきい値未満であると、アキュムレーター３をチャージする必要性がある。実際に、これに関連して、このような携行式時計１のアキュムレーター３のチャージレベルでは、携行式時計１の機能を適切かつ／又は十分に実行することができない。これに関連して、このサブステップ１１は、アキュムレーター３をチャージするように着用者に促す携行式時計１のその着用者へと音響的及び／又は視覚的なメッセージを送る段階１６を実行する。このメッセージは、演算ユニット２によって生成され、表示用表盤６、特に、表盤６の第２の部品、を介して、及び／又は音インタフェース７によって、着用者に送られる。
【００２２】
反対に、前記測定結果が基準しきい値よりも大きい場合、必要性識別ステップ１０は、以下のサブステップを実行する。
−  携行式時計１が実行した機能の電力消費量を評価するサブステップ１４
−  携行式時計１が実行しようとする機能の電力消費量を評価するサブステップ１５
【００２３】
前記携行式時計１が実行した機能の電力消費量を評価するサブステップ１４において、演算ユニット２が機能の実行の終わりを検出すると、この演算ユニット２は、この機能の実行に起因する電力消費量を判断する。より詳細には、演算ユニット２は、機能の実行の開始を検出すると、それと同時に又はほぼ同時にアキュムレーター３のチャージの状態の測定を行う。その後に、機能の実行の終わりにおいて、演算ユニット２は、アキュムレーター３のチャージの状態の別の測定を行い、これによって、この機能の実行に関連する電力消費量を判断する。この消費量の判断によって、演算ユニット２が、アキュムレーター３をチャージする必要性を定量化して、この機能の実装の間に消費された電気的エネルギーをオフセットすることができる。これに関連して、このサブステップ１４は、アキュムレーター３をチャージするように着用者に促す携行式時計１の着用者へと音響的及び／又は視覚的なメッセージを送る段階１６を実行する。このメッセージは、演算ユニット２によって生成され、表示用表盤６、特に、表盤の第２の部品、を介して、及び／又は音インタフェース７によって、着用者に送られる。
【００２４】
携行式時計１が実行しようとする機能の電力消費量を評価するサブステップ１５において、演算ユニット２が将来的な機能の実行を検出すると、例えば、アラームがプログラムされたり、機能が初期に開始されたりすると、演算ユニット２は、この機能の実行に起因する潜在的な電力消費量を評価する。この評価は、特に、着用者によるこの機能の通常の使用に関する統計データに基づいて、演算ユニット２が実行する。この消費の判断によって、演算ユニット２は、この機能の実行に必要なアキュムレーター３をチャージする必要性を定量化して、使用される電気的エネルギーをオフセットすることができる。これに関連して、このサブステップ１５は、アキュムレーター３をチャージするように着用者に促す携行式時計１の着用者へと音響的及び／又は視覚的なメッセージを送る段階１６を実行する。このメッセージは、演算ユニット２によって生成され、表示用表盤６、特に、表盤の第２の部品、を介して、及び／又は音インタフェース７によって、着用者に送られる。このメッセージは、例えば、機能の実行のプログラム（例えば、アラームのセット）の後に又は機能が開始するとすぐに、着用者に送られる。
【００２５】
この方法に関連して、着用者は、携行式時計１のアキュムレーター３をチャージすることを促すメッセージを受けると、この促しを拒絶したり、後に延期したり、すぐに実行したりする可能性がある。
【００２６】
着用者がチャージ操作を行うことを、特に、自身の携行式時計１を介して、受け入れているかぎり、当該方法は、携行式時計１の電気的エネルギー生産機構４の制御メンバー５のガイドされて行われるアクチュエートを通してアキュムレーター３をチャージするステップ１７を実行する。このエネルギー生産機構４は、制御メンバー５を活性化することによって作られる機械的エネルギーを電気的エネルギーへと変換することができる。このステップ１７は、電気的エネルギー生産機構４の制御メンバー５のアクチュエートを視覚的及び／又は音響的にガイドするサブステップ１８を有する。このサブステップ１８は、制御メンバー５をガイドするための情報を生成する段階１９を有する。その後に、ガイドするサブステップ１８は、生成された前記情報を携行式時計１の視覚的ガイド要素９及び／又は音インタフェース７を介して携行式時計１の着用者に伝達する段階２０を有する。この情報は、識別されたチャージの必要性の定量化によって作られる。この情報は、特に、識別された必要性を満たすための変位の距離及び／又はエネルギー生産機構４の制御メンバー５のアクチュエートに必要とされる時間を含む。なお、視覚的ガイド要素９は、着用者が制御メンバーの変位を視覚的に識別し定量化することを可能にするように携行式時計にて形成される。このように、このガイド要素９は、表盤、ケースミドル部、ベゼル内にて配置されることができ、また、第２の表盤の表示部品にて作られる。
【００２７】
第１の例において、透明／半透明の表盤のアップリケを表盤の裏に配置されている光源によって互いとは別々に照らして、携行式時計１のベゼルのような制御メンバー５がアクチュエートされるべき変位の距離を着用者に示すことができる。例えば、これらのアップリケを、時計回りの方向における携行式時計１のベゼルの変位に対応する１２時の位置にある始点と６時の位置にある終点の間で照らすことができる。したがって、この構成において、ベゼルは、ここでは１２時の位置である始点に位置している基準点を有することができ、この基準点を照らすことができ、また、照らさないことができる。サブステップ１８は、始点を基準点と整列させるためにベゼルの基準点の位置を検出する段階を実行することができる。
【００２８】
第２の例において、照らされたアップリケは、着用者が制御メンバー５のアクチュエートのために必要な時間に対応することができ、この制御メンバー５は、ベゼルであることができ、また、ここではリュウズである。この構成では、サブステップ１８は、制御メンバー５のアクチュエート全体の間にアキュムレーター３のチャージの状態を継続的又は定期的に測定して、それに応じて必要なチャージ時期を更新することを含むことができる。
【００２９】
第１又は第２の例と同様な第３の例においては、照らされるアップリケによって与えられる視覚的インジケーションが、携行式時計１の音インタフェース７を介する可聴インジケーションに置き換えられる。
【００３０】
本発明は、さらに、携行式時計１の演算ユニット２がこの方法のステップ１０〜１８を実行するためのプログラムコード命令を含むコンピュータープログラムに関する。
【符号の説明】
【００３１】
１  携行式時計
２  演算ユニット
３  アキュムレーター
４  電気的エネルギー生産機構
５  制御メンバー
６  表盤
７  音インタフェース
８  通信モジュール
９  視覚的ガイド要素
【図１】
2020071221.tif 000003
【図２】
2020071221.tif 000004
【外国語明細書】
2020071221000001.pdf